(57)【要約】【課題】効果が施された被写体のみのコンテンツを生成するコンテンツ生成装置を提供する。【解決手段】コンテンツ生成装置２０は、対象画像と２次元コードとを含む画像から、２次元コードを検出する２次元コード検出部２４と、２次元コードに埋め込まれたエフェクト情報を取得するエフェクト情報取得部２５と、画像から対象画像を抽出する対象画像抽出部２６と、エフェクト情報が表すエフェクトを対象画像に施すコンテンツ生成部２８とを備える。【選択図】図１
2014086964.tif 000002
【特許請求の範囲】
【請求項１】
対象画像と、当該対象画像に施すエフェクトを表すエフェクト情報が埋め込まれたコードとを含む画像からコンテンツを生成するコンテンツ生成装置であって、
上記画像に含まれている上記コードを検出するコード検出手段と、
検出した上記コードに埋め込まれた上記エフェクト情報を取得するエフェクト情報取得手段と、
上記画像から上記対象画像を抽出する対象画像抽出手段と、
抽出した上記対象画像に、取得した上記エフェクト情報が表すエフェクトを施すことによって、上記コンテンツを生成するコンテンツ生成手段とを備えていることを特徴とするコンテンツ生成装置。
【請求項２】
上記対象画像抽出手段は、上記画像の予め決められた位置に表示されている上記対象画像を抽出することを特徴とする請求項１に記載のコンテンツ生成装置。
【請求項３】
上記対象画像抽出手段は、上記画像の上記コードの中心点から最も近い角を基準とした、上記コードを含むＬ字型の領域を削除し、残った部分を上記対象画像として抽出することを特徴とする請求項１に記載のコンテンツ生成装置。
【請求項４】
上記対象画像を判別する画像判別手段をさらに備え、
上記対象画像抽出手段は、判別された上記対象画像を抽出することを特徴とする請求項１に記載のコンテンツ生成装置。
【請求項５】
対象画像と、当該対象画像に施すエフェクトを表すエフェクト情報が埋め込まれたコードとを含む画像からコンテンツを生成するコンテンツ生成方法であって、
上記画像に含まれている上記コードを検出するコード検出工程と、
検出した上記コードに埋め込まれた上記エフェクト情報を取得するエフェクト情報取得工程と、
上記画像から上記対象画像を抽出する対象画像抽出工程と、
抽出した上記対象画像に、取得した上記エフェクト情報が表すエフェクトを施すことによって、上記コンテンツを生成するコンテンツ生成工程とを備えていることを特徴とするコンテンツ生成方法。
【請求項６】
請求項１〜４のいずれか１項に記載のコンテンツ生成装置を動作させるプログラムであって、コンピュータを上記の各手段として機能させるためのプログラム。
【請求項７】
請求項６に記載のプログラムを記録しているコンピュータ読み取り可能な記録媒体。
【発明の詳細な説明】
【技術分野】
【０００１】
本発明は、対象画像とコードとを含む画像からコンテンツを生成するコンテンツ生成装置、コンテンツ生成方法、プログラム、および記録媒体に関する。
【背景技術】
【０００２】
近年、インターネットなどの情報通信網を用いて、デジタル化した画像や映像の配信が可能となった。そのため、ユーザは、様々なコンテンツを楽しむことができるようになっている。しかし、ユーザにさらにコンテンツを楽しんでもらうため、配信するコンテンツに効果を付加して、豊かに表現する手法が従来技術として知られている。
【０００３】
特許文献１には、ライブ映像などの動画に、所望の効果を付加することができる情報処理装置が開示されている。この開示された技術によると、カメラを使って動画を撮影する際に、その動画に付加する効果の情報が含まれた２次元コード情報を出演者と共に撮影する。この２次元コード情報には、例えば効果を指定するための効果選択情報や、２次元コード情報と効果表示位置の間の相対位置に関する相対位置情報、付加すべき効果の表示範囲に関する効果付加範囲情報に加え、座標情報が含まれている。情報処理装置は、この２次元コードを読み取り、動画を加工することにより、動画に効果を付加することができるとされている。
【先行技術文献】
【特許文献】
【０００４】
【特許文献１】特開２００３−１２５３６１号公報（２００３年４月２５日公開）
【発明の概要】
【発明が解決しようとする課題】
【０００５】
しかしながら、上述の従来技術は、２次元コード情報が出力映像に残ってしまうという問題がある。２次元コード情報は視聴者にとって意味のない情報であり、それが映像に写ることでコンテンツとしての品位が損なわれる。また、映像に残った２次元コード情報を視聴者がコピーして再利用する可能性があるため、他人に見せてはならない情報を含めることができない。
【０００６】
本発明は上記の問題点に鑑みてなされたものであり、その目的は、視聴者に見せたい情報のみが映ったコンテンツを生成するコンテンツ生成装置を提供することにある。
【課題を解決するための手段】
【０００７】
上記の課題を解決するために、本発明の一態様に係るコンテンツ生成装置は、
対象画像と、当該対象画像に施すエフェクトを表すエフェクト情報が埋め込まれたコードとを含む画像からコンテンツを生成するコンテンツ生成装置であって、
上記画像に含まれている上記コードを検出するコード検出手段と、
検出した上記コードに埋め込まれた上記エフェクト情報を取得するエフェクト情報取得手段と、
上記画像から上記対象画像を抽出する対象画像抽出手段と、
抽出した上記対象画像に、取得した上記エフェクト情報が表すエフェクトを施すことによって、上記コンテンツを生成するコンテンツ生成手段とを備えていることを特徴としている。
【発明の効果】
【０００８】
本発明の一態様によれば、生成したコンテンツにはエフェクトが施され、かつエフェクト情報が埋め込まれたコードは削除されているので、視聴者に見せたい情報のみが映ったコンテンツを生成できるという効果を奏する。
【図面の簡単な説明】
【０００９】
【図１】本発明の実施形態に係るコンテンツ生成システムの要部構成を示すブロック図である。
【図２】本発明の実施形態に係るコンテンツ生成サーバの処理の流れを示すフローチャートである。
【図３】（ａ）は本発明の実施形態に係る写真をコンテンツ生成サーバに送信する様子を示す図であり、（ｂ）は本発明の実施形態に係る写真から対象画像を抽出する様子を示す図であり、（ｃ）は本発明の実施形態に係る対象画像にエフェクトを施して生成したコンテンツを示す図であり、（ｄ）は本発明の実施形態に係るコンテンツをユーザのディスプレイに表示させた様子を示す図である。
【図４】（ａ）は本発明の実施形態に係る対象画像抽出部が対象画像を抽出する第１の例を示す図であり、（ｂ）は本発明の実施形態に係る対象画像抽出部が対象画像を抽出する第２の例を示す図であり、（ｃ）は本発明の実施形態に係る対象画像抽出部が対象画像を抽出する第３の例を示す図である。
【発明を実施するための形態】
【００１０】
〔実施形態〕
以下、本発明の実施の形態について、図１〜図４を用いて詳細に説明する。
【００１１】
（コンテンツ生成システム１の構成）
図１は、本発明の実施形態に係るコンテンツ生成システム１の要部構成を示すブロック図である。図１に示すように、コンテンツ生成システム１は、ユーザ端末１０、およびコンテンツ生成サーバ２０（コンテンツ生成装置）によって構成されている。ユーザ端末１０とコンテンツ生成サーバ２０とは、ネットワーク２を通じて互いに通信可能である。
【００１２】
ユーザは、エフェクトを施したい被写体と、２次元コードが印刷された紙とを一緒に撮影する。そして、ユーザは、生成された写真をユーザ端末１０からコンテンツ生成サーバ２０に送信する。コンテンツ生成サーバ２０は、受信した写真に写っている被写体の部分に対して、受信した写真に写っている２次元コードに埋め込まれているエフェクトを施してコンテンツを生成した後、コンテンツを配信する。以下、エフェクトを施したい被写体のみが写っている画像を、対象画像と称する。
【００１３】
（ユーザ端末１０の構成）
図１に示すように、ユーザ端末１０は、通信部１１、入力部１２、出力部１３、および画像生成部１４を備えている。
【００１４】
通信部１１は、ネットワーク２に接続されており、コンテンツ生成サーバ２０との間でデータを送受信する。
【００１５】
入力部１２は、キーボードやタッチパネルなどの、ユーザの入力を受け付けるハードウェアである。ユーザは、入力部１２を使って、コンテンツ生成サーバ２０に対して、エフェクト情報を埋め込んだ２次元コードの生成や、生成されたコンテンツの配信などを要求する。
【００１６】
出力部１３は、配信されたコンテンツを画面に表示する液晶ディスプレイなどの表示デバイスや、生成された２次元コードを紙にプリントアウトするプリンタなどの印刷デバイスである。
【００１７】
画像生成部１４は、エフェクトを施したい被写体と、エフェクトを埋め込まれた２次元コードとが写っている画像を生成する。画像はカメラによって撮影された写真や、スキャナでスキャンしたデータなどがある。
【００１８】
（コンテンツ生成サーバ２０の構成）
図１に示すように、コンテンツ生成サーバ２０は、サーバ通信部２１、２次元コード生成部２２、エフェクト情報保存部２３、２次元コード検出部２４（コード検出手段）、エフェクト情報取得部２５（エフェクト情報取得手段）、対象画像抽出部２６（対象画像抽出手段）、画像保存部２７、コンテンツ生成部２８（コンテンツ生成手段）、コンテンツ保存部２９、およびコンテンツ配信部３０を備えている。
【００１９】
サーバ通信部２１は、ネットワーク２に接続されており、ユーザ端末１０との間でデータを送受信する。
【００２０】
２次元コード生成部２２は、ユーザ端末１０からの要求により、エフェクト情報を埋め込んだ２次元コードを生成する。生成した２次元コードと、それに対応するエフェクト情報は、エフェクト情報保存部２３に保存される。
【００２１】
２次元コード検出部２４は、対象画像と２次元コードとが写っている写真から２次元コードを検出する。検出した２次元コードは、エフェクト情報取得部２５に出力される。エフェクト情報取得部２５は、取得した２次元コードに対応したエフェクト情報を、エフェクト情報保存部２３から取得する。
【００２２】
対象画像抽出部２６は、対象画像と２次元コードとが写っている写真から、対象画像のみを抽出する。抽出した対象画像は画像保存部２７に保存される。
【００２３】
コンテンツ生成部２８は、画像保存部２７に保存されている対象画像に、エフェクト情報取得部２５が取得したエフェクト情報が表すエフェクトを施し、コンテンツを生成する。コンテンツ生成部２８は、生成したコンテンツを、コンテンツ保存部２９に保存する。コンテンツ配信部３０は、ユーザからの要求に応じて、コンテンツ保存部２９に保存されているコンテンツを配信する。
【００２４】
（画像生成からコンテンツ４８を生成する処理）
図２は、本発明の実施形態に係るコンテンツ生成サーバ２０の処理の流れを示すフローチャートである。また、図３（ａ）は本発明の実施形態に係る写真４７をコンテンツ生成サーバ２０に送信する様子を示す図であり、（ｂ）は本発明の実施形態に係る写真４７から対象画像４５を抽出する様子を示す図であり、（ｃ）は本発明の実施形態に係る対象画像４５にエフェクトを施して生成したコンテンツ４８を示す図であり、（ｄ）は本発明の実施形態に係るコンテンツ４８をユーザのディスプレイに表示させた様子を示す図である。対象画像４５と２次元コード４３とが写っている写真４７から、コンテンツ４８が生成されるまでの処理を、図２、および図３を用いて説明する。
【００２５】
まずユーザは、画像生成部１４において、被写体４１と、２次元コード４３が印刷された紙４２とが写っている写真を、撮影領域４４において撮影する。本実施形態においては、図３（ａ）に示すように、被写体４１が、２次元コード４３が印刷された紙４２の左側になっている写真を撮影する。生成された写真４７には、図３（ｂ）に示すように、対象画像４５と、２次元コード４３が印刷された紙の画像４６とが写っている。また、２次元コード４３には、「今週の特価品」という文字列を、対象画像４５に重畳するというエフェクト情報が埋め込まれている。
【００２６】
画像生成部１４は、生成された写真４７を、通信部１１に出力する。通信部１１は、取得した写真４７を、ネットワーク２を通じてコンテンツ生成サーバ２０に送信する。
【００２７】
コンテンツ生成サーバ２０のサーバ通信部２１は、送信された写真４７をネットワーク２から受信する（ステップＳ１）。次に、サーバ通信部２１は、受信した写真４７を２次元コード検出部２４に出力する。２次元コード検出部２４は、取得した写真４７に２次元コードがあるかスキャンし（ステップＳ２）、２次元コードが検出されたかを判定する（ステップＳ３）。
【００２８】
ステップＳ３において、「２次元コードが検出された」と判定された場合（ステップＳ３：Ｙｅｓ）、２次元コード検出部２４は、検出した２次元コード４３をエフェクト情報取得部２５に出力するとともに、写真４７を対象画像抽出部２６に出力する。エフェクト情報取得部２５は、取得した２次元コード４３をデコードして、対応するエフェクト情報をエフェクト情報保存部２３から取得する（ステップＳ４）。
【００２９】
写真４７を取得した対象画像抽出部２６は、写真４７から対象画像４５を抽出する。図３（ｂ）に示すように、検出した２次元コードの左端から規定のマージン分左に寄った位置において、写真４７を左右に分割する（ステップＳ５）。これは、２次元コードはＰＯＰの形で撮影されるため、検出した２次元コードそのものの左端を基準にして左右分割すると、ＰＯＰの台座が商品写真に入る可能性があるからである。これを防ぐため、例えば「検出した２次元コードの横幅の４分の１」などのマージンを指定して、写真を分割する必要がある。そして、対象画像抽出部２６は、分割した写真４７の左側を、対象画像４５として設定し、画像保存部２７に保存する（ステップＳ６）。
【００３０】
続いて、コンテンツ生成部２８は、エフェクト情報取得部２５が取得したエフェクト情報が表すエフェクトを、画像保存部２７に保存されている対象画像４５に施し、コンテンツ４８を生成する（ステップＳ７）。図３（ｃ）に示すように、コンテンツ４８は、対象画像４５に「今週の特価品」という文字列が重畳されている。そして、コンテンツ生成部２８は、最後の写真か否かを判定する（ステップＳ８）。
【００３１】
ステップＳ８において、「最後の写真である」と判定された場合、コンテンツ４８は完成したことになるので、コンテンツ生成部２８は、生成したコンテンツ４８を、コンテンツ保存部２９に保存する。そして、図３（ｄ）に示すように、ユーザからの要求により、コンテンツ配信部３０はコンテンツ４８を配信し（ステップＳ９）、ユーザはディスプレイにてコンテンツ４８を見ることができる。
【００３２】
一方、ステップＳ３において、「２次元コードが検出されない」と判定された場合（ステップＳ３：Ｎｏ）、２次元コード検出部２４は、写真を加工せず、そのまま対象画像に設定し（ステップＳ１０）、画像保存部２７に対象画像を保存する。そして、コンテンツを生成するためにステップＳ７に進む。
【００３３】
また、ステップＳ８において、「最後の写真ではない」と判定された場合（ステップＳ８：Ｎｏ）、コンテンツ生成の処理は、続きの写真を受信するためにステップＳ１に戻る。
【００３４】
このような手順により、コンテンツ生成システム１においては、被写体４１と２次元コード４３とが写っている写真４７から、２次元コード４３に埋め込まれているエフェクト情報が表すエフェクトを対象画像４５に施し、２次元コードが含まれていないコンテンツ４８を生成する。
【００３５】
（対象画像を抽出する方法の例）
図４（ａ）は、本発明の実施形態に係る対象画像抽出部２６が対象画像４５を抽出する第１の例を示す図であり、（ｂ）は本発明の実施形態に係る対象画像抽出部２６が対象画像４５を抽出する第２の例を示す図であり、（ｃ）は本発明の実施形態に係る対象画像抽出部２６が対象画像４５を抽出する第３の例を示す図である。対象画像抽出部２６が対象画像４５を抽出する方法について、図４を用いて説明する。
【００３６】
コンテンツ生成システム１において、対象画像４５と２次元コード４３が印刷された紙の画像４６との位置を予め決めることにより、精度良く対象画像４５を抽出可能となる。例えば、図４（ａ）においては、対象画像４５に対して、２次元コード４３が印刷された紙の画像４６が右側になるように写真４７を生成するというルールが、コンテンツ生成システム１において決められている。このように、コンテンツ生成システム１において、予め対象画像４５を写真４７の左側にするというルールを決めることにより、対象画像抽出部２６は、検出した２次元コード４３の左側だけを抽出するので、精度良く対象画像４５を抽出可能となる。
【００３７】
図４（ｂ）においては、２次元コード４３の中心点から最も近い角を基準に、２次元コード４３が含まれる領域をＬ字に切り取り、残った領域を対象画像４５として抽出している。このように、２次元コード４３の寄っている位置を元に２次元コード４３が含まれる領域を切り取り、残った領域を対象画像４５として抽出することによって、余計な領域を含まない対象画像４５を抽出可能となる。
【００３８】
図４（ｃ）においては、画像処理（画像判別手段）によって対象画像４５を抽出している。画像処理の方法として、例えば、写真４７にエッジ検出処理をかけて、エッジの線が最も密集しているひとまとまりの部分を、対象画像４５として抽出する。このように、画像処理によって対象画像４５を抽出することによって、余計な領域を含まない対象画像４５を精度良く抽出可能となる。
【００３９】
〔まとめ〕
本発明の一態様に係るコンテンツ生成装置は、
対象画像と、当該対象画像に施すエフェクトを表すエフェクト情報が埋め込まれたコードとを含む画像からコンテンツを生成するコンテンツ生成装置（コンテンツ生成サーバ２０）であって、
上記画像に含まれている上記コードを検出するコード検出手段（２次元コード検出部２４）と、
検出した上記コードに埋め込まれた上記エフェクト情報を取得するエフェクト情報取得手段（エフェクト情報取得部２５）と、
上記画像から上記対象画像を抽出する対象画像抽出手段（対象画像抽出部２６）と、
抽出した上記対象画像に、取得した上記エフェクト情報が表すエフェクトを施すことによって、上記コンテンツを生成するコンテンツ生成手段（コンテンツ生成部２８）とを備えていることを特徴としている。
【００４０】
上記の構成によれば、生成したコンテンツにはエフェクトが施され、かつエフェクト情報を埋め込まれたコードは削除されているので、視聴者に見せたい情報のみが映ったコンテンツを生成できる。
【００４１】
さらに、本発明の一態様に係る上記対象画像抽出手段は、
上記画像の予め決められた位置に表示されている上記対象画像を抽出することを特徴としてもよい。
【００４２】
上記の構成によれば、精度良く対象画像を抽出できる。
【００４３】
さらに、本発明の一態様に係る上記対象画像抽出手段は、
上記画像の上記コードの中心点から最も近い角を基準とした、上記コードを含むＬ字型の領域を削除し、残った部分を上記対象画像として抽出することを特徴としてもよい。
【００４４】
上記の構成によれば、余計な領域を含まない対象画像を抽出できる。
【００４５】
さらに、本発明の一態様に係るコンテンツ生成装置は、
上記対象画像を判別する画像判別手段をさらに備え、
上記対象画像抽出手段は、判別された上記対象画像を抽出することを特徴としてもよい。
【００４６】
上記の構成によれば、余計な領域を含まない対象画像を精度良く抽出できる。
【００４７】
さらに、本発明の一態様に係るコンテンツ生成方法は、
対象画像と、当該対象画像に施すエフェクトを表すエフェクト情報が埋め込まれたコードとを含む画像からコンテンツを生成するコンテンツ生成方法であって、
上記画像に含まれている上記コードを検出するコード検出工程と、
検出した上記コードに埋め込まれた上記エフェクト情報を取得するエフェクト情報取得工程と、
上記画像から上記対象画像を抽出する対象画像抽出工程と、
抽出した上記対象画像に、取得した上記エフェクト情報が表すエフェクトを施すことによって、上記コンテンツを生成するコンテンツ生成工程とを備えていることを特徴としてもよい。
【００４８】
上記の構成によれば、上記コンテンツ生成装置と同様の効果を奏することができる。
【００４９】
さらに、本発明の一態様に係るコンテンツ生成装置は、コンピュータによって実現してもよい。この場合、コンピュータを上記各手段として動作させることにより上記コンテンツ生成装置をコンピュータにおいて実現するプログラム、およびそのプログラムを記録したコンピュータ読み取り可能な記録媒体も、本発明の範疇に入る。
【００５０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【００５１】
たとえば、エフェクト情報を埋め込むのは、広い意味でのコードであればよい。このようなコードには、例えば、２次元コードやバーコードのような特定の記述フォーマットに従った画像が含まれる。また、特定の記述フォーマットを持たず人間からは一般的なイラストに見えるが機械により検出可能である画像も含まれる。つまり、エフェクト情報を埋め込むのは、画像として表現可能な機械可読情報であればよい。
【００５２】
〔ソフトウェアによる実現例〕
最後に、コンテンツ生成装置２０の各ブロックは、集積回路（ＩＣチップ）上に形成された論理回路によってハードウェア的に実現してもよいし、ＣＰＵ（Central Processing Unit）を用いてソフトウェア的に実現してもよい。
【００５３】
後者の場合、コンテンツ生成装置２０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるコンテンツ生成装置２０の制御プログラムのプログラムコード（実行形式プログラム、中間コードプログラム、ソースプログラム）をコンピュータで読み取り可能に記録した記録媒体を、上記コンテンツ生成装置２０に供給し、そのコンピュータ（またはＣＰＵやＭＰＵ）が記録媒体に記録されているプログラムコードを読み出し実行することによっても、達成可能である。
【００５４】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【００５５】
また、コンテンツ生成装置２０を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００５６】
本発明は、店舗において表示されるデジタルサイネージを作成する装置など、画像に効果を付加する装置に利用することができる。
【符号の説明】
【００５７】
１  コンテンツ生成システム
２  ネットワーク
１０  ユーザ端末
１１  通信部
１２  入力部
１３  出力部
１４  画像生成部
２０  コンテンツ生成サーバ（コンテンツ生成装置）
２１  サーバ通信部
２２  ２次元コード生成部
２３  エフェクト情報保存部
２４  ２次元コード検出部（コード検出手段）
２５  エフェクト情報取得部（エフェクト情報取得手段）
２６  対象画像抽出部（対象画像抽出手段）
２７  画像保存部
２８  コンテンツ生成部（コンテンツ生成手段）
２９  コンテンツ保存部
３０  コンテンツ配信部
【図１】
2014086964.tif 000003
【図２】
2014086964.tif 000004
【図３】
2014086964.tif 000005
【図４】
2014086964.tif 000006